(57)【要約】【課題】器体を前方に傾斜しても蓋体のシール部から湯が外部に漏出し難くすること。【解決手段】外郭３１と、外郭３１内に設けた水を収容する容器３２と、容器３２の上方開口部を覆う蓋体３３と、蓋体３３に設けた容器３２内の水が加熱された時に発生する蒸気を外部へ排出するための蒸気通路４５並びに蒸気排出口３５と、蓋体３３の内部に設けた発生した蒸気を蒸気通路４５へ排出する弁口４６と転倒時に動作して弁口４６を閉じる逆止弁４７と逆止弁４７を収容しかつ摺動させる弁座４８とを有する弁座室３４とを備え、前方向傾斜時に逆止弁４７が動作し弁口４６を閉じたとき、内圧が上昇しないように弁座室３４と蒸気通路４５との間に隙間を設ける構成とした。【選択図】  図１
2004194968.tif 000002
【特許請求の範囲】
【請求項１】
外郭と、前記外郭内に設けた水を収容する容器と、前記容器の上方開口部を覆う蓋体と、前記蓋体に設けた前記容器内の水が加熱された時に発生する蒸気を外部へ排出するための蒸気通路並びに蒸気排出口と、前記蓋体の内部に設けた発生した蒸気を前記蒸気通路へ排出する弁口と転倒時に動作して前記弁口を閉じる逆止弁と前記逆止弁を収容しかつ摺動させる弁座とを有する弁座室とを備え、前方向傾斜時に前記逆止弁が動作し前記弁口を閉じたとき、内圧が上昇しないように前記弁座室と前記蒸気通路との間に隙間を設ける構成とした電気湯沸かし器。
【請求項２】
弁口は前方向に転倒した時の水面より上方になる位置に設ける構成とした請求項１に記載の電気湯沸かし器。
【請求項３】
隙間は弁口の中心線より少なくとも後方の前記弁口と逆止弁との間に設ける構成とした請求項１または２に記載の電気湯沸かし器。
【請求項４】
逆止弁が弁口のシール面に対して斜めに当接するように弁座を傾斜させて設ける構成とした請求項３に記載の電気湯沸かし器。
【請求項５】
弁口に逆止弁のシール面に対して傾斜したシール部を設ける構成とした請求項３記載の電気湯沸かし器。
【請求項６】
逆止弁に弁口のシール面に対して傾斜したシール部を設ける構成とした請求項１記載の電気湯沸かし器。
【請求項７】
弁口のシール面と逆止弁のシール面との交差角は０．５〜２．５°、好ましくは１〜２°とする構成とした請求項４〜６のいずれか１項に記載の電気湯沸かし器。
【請求項８】
少なくとも逆止弁のシール面または弁口のシール面のどちらか一方に弁座室と弁口とを連通する少なくとも１本の溝を設ける構成とした請求項３に記載の電気湯沸かし器。
【請求項９】
少なくとも逆止弁のシール面または弁口のシール面のどちらか一方に凸部を設ける構成とした請求項３に記載の電気湯沸かし器。
【請求項１０】
弁座室と蒸気通路との間に連通する細孔を設ける構成とした請求項１または２に記載の電気湯沸かし器。
【請求項１１】
弁口と開口との間に水を貯えるプール部を設ける構成とした請求項１〜１０のいずれか１項に記載の電気湯沸かし器。
【発明の詳細な説明】
【０００１】
【発明の属する技術分野】
本発明は、電気湯沸かし器の蓋体構造に関するものである。
【０００２】
【従来の技術】
従来、この種の電気湯沸かし器としては、図７に示すようなものがあった。図７は電気湯沸かし器の要部拡大断面図であり、蓋体１は外蓋２と、蓋カバー３と飾り枠４とより構成されており、外蓋２に設けたボス５に蓋カバー３と飾り枠４とに夫々設けた孔６、７を介して取り付け体８を取り付けることにより外蓋２と蓋カバー３と飾り枠４とを一体とし、蓋体１を設けていた（例えば、特許文献１参照）。
【０００３】
前述の構成では構造が複雑であり、組立て工数もかかるので、図８に示すような構成が考えられた。図８は従来の他の電気湯沸かし器の要部拡大断面図である。図において、電気湯沸かし器は外郭１１と、外郭１１内に配設された上面が開口した開口部を有した容器１２と、容器１２の開口部を覆う蓋体１３とで構成されている。ここで蓋体１３は、外周に容器１２のフランジ部１２ａをシールするパッキング１４が装着された内蓋１５と、パッキング１４との当接面に三角リブ（図示せず）を設けてシールした中蓋１６と、外蓋１７とで構成されている。
【０００４】
また、蓋体１３の内部には容器１２内の水が加熱された時に発生する蒸気を外部へ排出するための蒸気通路１８と、蒸気排出口１９と弁座室２０が設けられている。さらに、弁座室２０には全方向転倒時、すなわち、電気湯沸かし器がどの方向に転倒したときでも動作して弁口２０を閉じ、蒸気の流れを遮断する逆止弁２２と、逆止弁２２を収容しかつ摺動させる弁座２３とが内包されている。
【０００５】
【特許文献１】
特開平１１−４７６３号公報
【０００６】
【発明が解決しようとする課題】
このような従来の構成では、内蓋１５と中蓋１６とを組み付けに締め代を設けて、内蓋１５の外周に装着したパッキング１４の平面部を中蓋１６に設けた三角リブで圧接シールしているため、パッキング１４と中蓋１６とのシール性能に限界があり、傾斜時に逆止弁２０が動作して弁口１９を封鎖すると、内圧が上昇してパッキング１４と中蓋１６のシール部から漏水する。この漏水の程度はＪＩＳＣ−９２１３魔法瓶の規格に準じて用いる転倒時の漏水量５０ｃｃ／１０秒を満足するものの周囲を濡らすという問題があった。
【０００７】
特に、使用者が電気湯沸かし器に接する場合、使用者は出湯口のある前面に対向する場合が多い。したがって、使用者は誤って電気湯沸かし器の上部を抑えて前方へ傾けたり、あるいは、手で両側を挟んで前へ傾けたりすることが多々ある。すると前述のように漏水し、漏水した湯は傾斜にしたがって前方へ移動し、出湯口に達し、そこより下方へ滴下する。漏水が出湯口の近辺を流れることは衛生上好ましくない。また、使用者が熱い湯にふれる恐れがあるという安全上の問題もあった。
【０００８】
本発明は前記課題を解決するもので、使用者が器体を前方に傾けても湯がほとんど漏水することがなく、衛生的で、かつ使い勝手のよい電気湯沸かし器を提供することを目的とする。
【０００９】
【課題を解決するための手段】
前記課題を解決するために、本発明は、水を収容する容器の上方開口部を覆う蓋体と、前記蓋体の内部に設けた発生した蒸気を外部へ排出する弁口と転倒時に動作して前記弁口を閉じる逆止弁と前記逆止弁を収容しかつ摺動させる弁座とを有する弁座室とを備え、前方向に傾斜し前記逆止弁が動作し前記弁口を閉じたとき、内圧が上昇しないように前記弁座室と外部に連通する蒸気通路との間に隙間を設ける構成とした。
【００１０】
これにより、傾斜時に逆止弁が動作した後には弁座室と外部との間に設けた隙間から圧力が抜けるため、内圧が上昇するのを防ぐことができる。
【００１１】
【発明の実施の形態】
請求項１記載の発明は、外郭と、前記外郭内に設けた水を収容する容器と、前記容器の上方開口部を覆う蓋体と、前記蓋体に設けた前記容器内の水が加熱された時に発生する蒸気を外部へ排出するための蒸気通路並びに蒸気排出口と、前記蓋体の内部に設けた発生した蒸気を前記蒸気通路へ排出する弁口と転倒時に動作して前記弁口を閉じる逆止弁と前記逆止弁を収容しかつ摺動させる弁座とを有する弁座室とを備え、前方向傾斜時に前記逆止弁が動作し前記弁口を閉じたとき、内圧が上昇しないように前記弁座室と前記蒸気通路との間に隙間を設ける構成とした。
【００１２】
これによって、前方傾斜時に逆止弁が動作した後に、弁座室と蒸気通路との間に設けた隙間から圧力が抜けるため、内圧上昇による漏水がなくなり、衛生上および安全上に優れたものにすることができる。
【００１３】
請求項２記載の発明は、特に、請求項１記載の構成において、弁口は前方向に転倒した時の水面より上方になる位置に設ける構成としたことにより、前方に転倒した時の水面より弁口が上方にあるため、転倒した時に蒸気通路から外部に漏水しにくくなる。
【００１４】
請求項３記載の発明は、特に、請求項１または２記載の構成において、隙間は弁口の中心線より少なくとも後方の前記弁口と逆止弁との間に設ける構成とした。この構成により、より確実に隙間を確保することができるようになり、内圧の上昇を抑えることができる。
【００１５】
請求項４記載の発明は、特に、請求項３記載の構成において、逆止弁が弁口のシール面に対して斜めに当接するように弁座を傾斜させて設ける構成とした。この構成によって、逆止弁のシール面と弁口のシール面とが後方下がりで斜めに当接するようになるので、前方向に傾斜した時に逆止弁が動作すると弁口の前方側に先当たりして、弁口の後方側に隙間ができているので、その隙間から圧力が抜けるため、内圧が上昇することはなく漏水する心配はなくなる。また、弁座の取り付け角度を従来に対して変更するだけであり、簡単な部品形状の変更によって容易に実施可能となる。
【００１６】
請求項５記載の発明は、特に、請求項３記載の構成において、弁口に逆止弁のシール面に対して傾斜したシール部を設ける構成とした。この構成により、逆止弁のシール面と弁口のシール面とが後方下がりで斜めに当接するようになるので、前方向に傾斜した時に逆止弁が動作すると弁口の前方側に先当たりして、弁口の後方側に隙間ができているので、その隙間から圧力が抜けるため、内圧が上昇することはなく、漏水する心配はなくなる。
【００１７】
請求項６記載の発明は、特に、請求項３記載の構成において、逆止弁に弁口のシール面に対して傾斜したシール部を設ける構成としたので、上述の場合と同様に隙間ができているので内圧の上昇を防ぐことができると共に、逆止弁のシール面の角度を従来に対して変更するだけであり、簡単な部品形状の変更によって容易に実施可能となる。
【００１８】
請求項７記載の発明は、特に、請求項３記載の構成において、弁口のシール面と逆止弁のシール面との交差角は０．５〜２．５°、好ましくは１〜２°とする構成としたので、確実に隙間を確保でき、内圧の上昇を防ぐと共に、液面の変動による漏水を防ぐことができる。
【００１９】
請求項８記載の発明は、特に、請求項３記載の構成において、少なくとも逆止弁のシール面または弁口のシール面のどちらか一方に弁座室と弁口とを連通する少なくとも１本の溝を設ける構成としたことにより、確実に隙間を確保でき、内圧の上昇を防ぐことができる。
【００２０】
請求項９記載の発明は、特に、請求項３記載の構成において、少なくとも逆止弁のシール面または弁口のシール面のどちらか一方に凸部を設ける構成としたことにより、確実に隙間を確保でき、内圧の上昇を防ぐことができる。
【００２１】
請求項１０記載の発明は、特に、請求項１または２記載の構成において、弁座室と蒸気通路との間に連通する細孔を設ける構成としたことにより、常に隙間が設けられているので、内圧の上昇を抑え、漏水を防ぐことができる。
【００２２】
請求項１１記載の発明は、特に、請求項１〜９のいずれか１項に記載の構成において、弁口と開口との間に水を貯えるプール部を設ける構成とした。この構成によって、傾斜時に逆止弁が動作した後に設けた弁口と逆止弁との間の隙間から万が一漏水しても、弁口と外部との間の蒸気通路の一部に設けたプール部に弁口から漏水した水を溜めることができ、一定時間以内は外部に漏水して周囲を濡らす心配はなくなり、さらに使い勝手が向上する。
【００２３】
【実施例】
以下、本発明の実施例について、図面を参照しながら説明する。
【００２４】
（実施例１）
図１は本発明の実施例１の電気湯沸かし器の要部拡大断面図であり、図２は同電気湯沸かし器の側面断面図、図３は同電気湯沸かし器の他の例の要部拡大断面図であり、図４は同電気湯沸かし器の他の例の要部拡大断面図である。
【００２５】
図２において、３１は外郭であり、３２は外郭３１内に設けた水を収容する容器、３３は容器３２の上方開口部を覆う蓋体であり、蓋体３３には本実施例に関わる弁座室３４と内部で発生した蒸気を排出する蒸気排出口３５を設けている。なお、弁座室は本実施例の効果を後述するようにより顕著にするために中心線ＯＯより後方に設けている。３６はポンプからなる出湯手段で、操作部（図示せず）を操作すると動作を開始し容器内の湯を水管３７を介して前方に設けた出湯口３８より出湯する。
【００２６】
また、３９は止水弁で器体を傾けたとき水路を遮断し容器内の湯が出湯口３８よりこぼれないようにしている。４０は電気湯沸かし器を移動するときに用いる把手である。なお、本実施例では出湯口３８のある位置を前方として記載している。以下本実施例の要部について説明する。
【００２７】
図１において、蓋体３３は、外周に容器３２のフランジ部３２ａをシールするパッキング４１が装着された内蓋４２と、パッキング４１との当接面に三角リブを設けてシールした中蓋４３と、外蓋４４とで構成している。また、蓋体３３の内部には容器３２内の水が加熱された時に発生する蒸気を外部へ排出するための蒸気通路４５および蒸気排出口３５と、弁座室３４とを設けている。この弁座室３４は発生した蒸気を蒸気通路４５に排出する弁口４６と、全方向、すなわち、どの方向に転倒しても動作して弁口４６を閉じる逆止弁４７と、逆止弁４７を収容しかつ摺動させる弁座４８とより構成している。弁口４６は前方向転倒時の水面に対して上方になるように容器３２中心線ＯＯより後方に設けている。これにより、傾斜時の漏水をより効果的に防止できる。逆止弁４７が弁口４６のシール面４６ａに対して後方下がりで斜めに当接するように弁座４８を傾斜させて設けている。すなわち、弁口４６の中心線ＡＡと弁座４８の中心線ＢＢとが一直線にならず、ある角度θ°を持って交差するようにしている。このため、弁口４６のシール面４６ａと弁座４８との当接面の後方、すなわち中心線ＯＯからはなれた位置に隙間が形成される。
【００２８】
これによって、特に、前方向に転倒した時の水面より弁口４６が上方になるように容器３２の中心より後方に設けているため、前方向に転倒した時に蒸気通路４５から外部に漏水して周囲を濡らす心配はなくなる。また、逆止弁４７が弁口４６のシール面４６ａに対して後方下がりで斜めに当接するように弁座４８を傾斜させて設けているので、機体を前方向に傾斜した時に逆止弁４７が動作すると弁口４６の前方側に先当たりして、弁口４６の後方側に隙間ができるので、その隙間から圧力が抜けるため、内圧が上昇することはなく、漏水して周囲を濡らす心配はなくなる。この構成は弁座４８の取り付け角度を従来に対して変更するだけであり、簡単な部品形状の変更によって容易に実施可能となる。
【００２９】
また、弁口４６と逆止弁４７とを傾斜させて当接する方法としては、図３に示すように、弁口４６を逆止弁４７のシール面４７ａに対してθ°傾斜させてシール部４６ａを設ける構成としてもよい。このとき、弁口４６の中心線ＡＡと弁座４８の中心線ＢＢとは一直線となる。この場合、弁口４６のシール面４６ａの角度を従来に対して変更するだけであり、簡単な部品形状の変更によって容易に実施可能となる。
【００３０】
また、図４に示すように、逆止弁４７を弁口４６のシール面４６ａに対してθ°傾斜させたシール部４７ａを設ける構成としてもよい。このとき、弁口４６の中心線ＡＡと弁座４８の中心線ＢＢとは一直線となる。この場合においても、逆止弁４７のシール面４７ａの角度を従来に対して変更するだけであり、簡単な部品形状の変更によって容易に実施可能となる。
【００３１】
上述のように、弁口４６と逆止弁４７とを当接するときの角度θ°は実用的には０．５〜２．５°、好ましくは１〜２°がよい。角度が０．５°より小さくなると、圧力の抜けが悪く内圧が上昇し漏水する危険性が高くなる。また２．５°より大きな角度になると、傾斜するときの液面の振動や傾斜しゆすったときの液面の変動により隙間を介して湯が漏出する恐れがあるからである。
【００３２】
この他、弁口４６と逆止弁４７との間に隙間を設ける方法としては、弁口４６のシール面４６ａまたは逆止弁４７のシール面４７ａの少なくともどちらか一方に溝を設ける構成としても良い。勿論、このとき溝が湯につからないようにするためシール面４６ａとシール面４７ａとの当接面のうち容器３２の中心線ＯＯから離れた位置に設けるようにする。
【００３３】
また、弁口４６のシール面４６ａまたは逆止弁４７のシール面４７ａの少なくともどちらか一方に凸部を設ける構成としても良い。勿論、このときも凸部の位置はシール面４６ａとシール面４７ａとの当接面のうち容器３２の中心線ＯＯから離れた位置に設けるようにする。
【００３４】
この他、隙間を設ける方法としては本実施例の主旨にかなうものであればどのような構成であってもよい。
【００３５】
以上述べたように、本実施例によれば、傾斜時に弁口と逆止弁との間に隙間が確保されるため、内圧が上昇せず、漏水が起こらないため出湯口が漏水に曝されたり、使用者が漏水に触れたりするのを無くすことができる。
【００３６】
（実施例２）
図５は本発明の実施例２における電気湯沸かし器の要部拡大断面図である。なお、本実施例の基本構成は実施例１と同じなので異なる点を中心に説明する。また、実施例１と同じ機能には同じ符号を付しその説明は省略する。
【００３７】
本実施例が実施例１と異なる点は、実施例１が弁口４６と逆止弁４７との間に隙間を設けたのに対し、本実施例では弁座室３４と蒸気通路４５との間に細孔４９による隙間を設けた点である。
【００３８】
通常の正常な使用状態では、発生した蒸気は弁口４６を経て蒸気通路４５を通り蒸気排出口３５より外部に排出される。このとき、蒸気は細孔４９の排気抵抗が弁口４６の排気抵抗より大きいため蒸気の大部分は弁口４６を通って排出される。そして、器体が前方に傾斜し弁口４６が逆止弁で完全に閉ざされたときは、発生した蒸気は細孔４９を通って外部に排出される。したがって、内圧はほとんど上昇しないので、器体を前方に傾斜しても実質的には漏水しない。もちろん、細孔は実施例１の場合と同様に、湯に浸からないようにするため弁座室３４の後方部に設ける。
【００３９】
以上の構成にすることにより、実施例１とほぼ同様の効果が得られる。
【００４０】
（実施例３）
図６は本発明の実施例３における電気湯沸かし器の要部拡大断面図である。なお、本実施例の基本構成は実施例１と同じなので異なる点を中心に説明する。また、実施例１と同じ機能には同じ符号を付しその説明は省略する。
【００４１】
本実施例と実施例１との相違点は、蒸気通路３５の一部に漏水を溜めるプール部５０を設けた点である。前方に傾斜時に逆止弁１０が動作した後に設けた弁口４６と逆止弁４７との間の隙間から万が一漏水しても、弁口４６と蒸気排出口３５との間の蒸気通路４５の一部に設けたプール部５０に弁口４６から漏水した水を溜めることができ、一定時間以内は外部に漏水する心配はさらに少なくなり、利便性が向上する。
【００４２】
【発明の効果】
以上のように、請求項１〜１１に記載の発明によれば、使用者が器体を前方に傾けても湯がほとんど漏水することがなく、衛生的で、かつ使い勝手のよいものにすることができる。
【図面の簡単な説明】
【図１】本発明の実施例１における電気湯沸かし器の要部拡大断面図
【図２】同電気湯沸かし器の側面断面図
【図３】同電気湯沸かし器の他の例の要部拡大断面図
【図４】同電気湯沸かし器の他の例の要部拡大斜視図
【図５】本発明の実施例２における電気湯沸かし器の要部拡大断面図
【図６】本発明の実施例３における電気湯沸かし器の要部拡大断面図
【図７】従来の電気湯沸かし器の要部拡大断面図
【図８】従来の他の電気湯沸かし器の要部拡大断面図
【符号の説明】
３１  外郭
３２  容器
３３  蓋体
３４  弁座室
３５  蒸気排出口
４５  蒸気通路
４６  弁口
４６ａ  シール面
４７  逆止弁
４７ａ  シール面
４８  弁座
４９  細孔
５０  プール部
【図１】
2004194968.tif 000003
【図２】
2004194968.tif 000004
【図３】
2004194968.tif 000005
【図４】
2004194968.tif 000006
【図５】
2004194968.tif 000007
【図６】
2004194968.tif 000008
【図７】
2004194968.tif 000009
【図８】
2004194968.tif 000010